(57)【要約】ケーブルコネクター（１）は、コネクター上側部及びコネクター下側部（４）から成る絶縁枠体を有する。コネクター上側部は上部カバー（２）と中間部材（３）を有する。コネクター上側部及びコネクター下側部はそれぞれ、互いに接続されるケーブル（５、１０）を受入れ、これを保持する。中間部材（３）はコネクター上側部において導電接続部材（６）を保持する。導電接続部材（６）には先鋭刃（６' 〜６''' ）が設けられる。先鋭刃（６' 〜６''' ）は、一方ではコネクター上側部における上部カバー（２）に向って突出し、また他方ではコネクター下側部に向って突出する。中間部材（３）を含むコネクター上側部とコネクター下側部（４）とを互いに組合わせることにより、先鋭刃（６' 〜６''' ）が互いに接続されるべきケーブル心線の絶縁体を自動的に突通し撚り心線内に侵入する。
2005501391.tif 000002
【特許請求の範囲】
【請求項１】
複数の撚り心線を有して連続する平型ケーブルと、同様に複数の撚り心線を有する少くとも１つの丸型ケーブルとの導電接続を実施するケーブルコネクターであって、前記ケーブルコネクターは、内部の所定のケーブル接続部分において外被を除去されて互いに分離して配列された前記丸型ケーブルの撚り心線を受入れるコネクター上側部と、連続する前記平型ケーブルを受入れるコネクター下側部並びに心線絶縁体を突通して互いに接続されるべきそれぞれの前記撚り心線内に達する先鋭刃を有する導電接続部材を備えてなるものにおいて、前記コネクター上側部は互いに結合可能とされた２つの部材、即ち上部カバーとその下方に配される中間部材とにより形成され、接続されるべき前記丸型ケーブルの撚り心線は前記上部カバーと中間部材との間に導入、配置され、かつ、前記導電接続部材は前記中間部材内に配置、保持されてなり、全体として前記上部カバー、中間部材及びコネクター下側部が上下に重ねられて組合わされることにより、前記導電接続部材の先鋭刃が、前記上部カバーに対向する前記中間部材の上面及び前記コネクター下側部に対向する前記中間部材の下面から互いに接続されるべき前記撚り心線内に達するように突出し、これにより自動的に前記撚り心線の所望の導電接続を実施してなることを特徴とするケーブルコネクター。
【請求項２】
前記コネクター上側部は、互いに対向方向から導入された個別の２つの丸型ケーブルを受入れるように形成され、前記中間部材内に配された前記導電接続部材は前記上部カバーに向って突出する少くとも２つの先鋭刃を有して形成され、かつ、前記少くとも２つの先鋭刃は、前記丸型ケーブルの一方及び他方の前記撚り心線内に達することのできる相互の間隔を有して形成されてなることを特徴とする請求項１記載のケーブルコネクター。
【請求項３】
前記中間部材内に保持される前記導電接続部材の数は、少くとも前記平型ケーブルの撚り心線の数に対応してなることを特徴とする請求項１又は２記載のケーブルコネクター。
【請求項４】
前記導電接続部材は平らな薄板状に形成され、かつ、前記先鋭刃は前記導電接続部材の長手方向平坦部分の両側部から突出するように形成されてなることを特徴とする請求項１ないし３のいずれかに記載のケーブルコネクター。
【請求項５】
前記導電接続部材を前記中間部材に設けられたスリット状長穴内に爪留め式に固定するために、前記導電接続部材の長手方向両端部に尖った先端を形成してなることを特徴とする請求項４記載のケーブルコネクター。
【請求項６】
前記コネクター上側部における前記上部カバーは前記丸型ケーブルの撚り心線を受入れるために形成され、かつ、前記中間部材は前記導電接続部材の保持部材としてのみ機能してなることを特徴とする請求項１ないし５のいずれかに記載のケーブルコネクター。
【請求項７】
前記中間部材は前記丸型ケーブルの撚り心線の受入れ及び横方向の案内、配列のために形成され、前記上部カバーは前記丸型ケーブルの撚り心線の押圧保持部材及び前記導電接続部材の突通し部材として機能してなることを特徴とする請求項１ないし５のいずれかに記載のケーブルコネクター。
【請求項８】
前記上部カバーは、前記中間部材に旋回可能に枢支結合されてそれぞれが１つの丸型ケーブルの受入れ、接続のために機能する２つの部分により形成されてなることを特徴とする請求項７記載のケーブルコネクター。
【発明の詳細な説明】
【０００１】
本発明は、一般にケーブルコネクターに関する。特にこのコネクターは、複数の撚り心線を有して連続する平型ケーブルと、同様に複数の撚り心線を有する少くとも１つの丸型ケーブルとの導電接続を実施するケーブルコネクターであり、前記ケーブルコネクターは、内部の所定のケーブル接続部分において外被を除去されて互いに分離して配列された前記丸型ケーブルの撚り心線を受入れるコネクター上側部と、連続する前記平型ケーブルを受入れるコネクター下側部並びに心線絶縁体を突通して互いに接続されるべきそれぞれの前記撚り心線内に達する先鋭刃を有する導電接続部材を備えている。
【０００２】
従来のケーブルコネクターにおいては、互いに接続されるべきケーブルの心線を接続部材により互いに結合するようにして接続を実施しているが、これは煩雑かつ時間を要する作業となっている。
【０００３】
従って、本発明は、サイズがコンパクトであり、かつ、組立が容易であり、これにより所望の接続を素早く、即ち少ない作業時間で形成することのできるケーブルコネクターを提供することを課題とする。
【０００４】
この課題は、冒頭に記載のケーブルコネクターにおいて、本発明の特許請求の範囲における請求項１の特徴部に記載された特徴を付与することにより達成される。
【０００５】
本発明のケーブルコネクターに関わる好ましい実施の形態は従属請求項において具体的に記載されている。
【０００６】
以下において、添付の図を参照し本発明の実施の形態に基いて本発明をより詳細に説明する。
【０００７】
図１ないし図１０の各図において、本発明のケーブルコネクター１は、主として上部カバー２、中間部材３及びコネクター下側部４で構成され、従って各部材２、３、４がコネクター１の主構成部材となっている。上部カバー２と中間部材３が一体となってコネクター上側部を構成している。
【０００８】
図１及び図２は、ケーブルコネクター１が部分的に組立られた状態を示しており、ここにおいてコネクター上側部における上部カバー２及び中間部材３には接続されるべき丸型ケーブル５、５' が既に取付けられており、かつ、上部カバー２及び中間部材３が一体化されたコネクター上側部は、コネクター下側部４の一端部に蝶番式に組合わされている。即ち、部材２、３はコネクター下側部４に対して蝶番式に傾動可能に組合わされている。これにより傾動が実施されると、中間部材３内に固定保持された導電接続部材６〜９がコネクター下側部４内に差込まれた平型ケーブル１０を突通し、平型ケーブル１０の撚り心線１０I 〜１０IV内に達するようになっている。
【０００９】
部材２、３の部材４に対する傾動により、これらの部材は互いに接続され、これにより所望のケーブル接続が形成される。図２に見るように、中間部材３内に配され、保持された導電接続部材６〜９のそれぞれに、上方及び下方に突出する先鋭刃が設けられている。例えば、導電接続部材６には先鋭刃６' 、６''、６''' が設けられる。これにより、以下により詳しく説明するように、各導電接続部材はそれぞれの先鋭刃により、丸型ケーブル５、５' の撚り心線５''の絶縁体及び平型ケーブル１０の撚り心線の絶縁体を突通してそれぞれの撚り心線内部に留まり、ケーブル接続を形成する。このようなケーブル接続は、上部カバー２及び中間部材３とコネクター下側部４又は中間部材３とコネクター下側部４を一体に組合せ又は結合することにより自動的に形成される。
【００１０】
図２に見るように、丸型ケーブル５、５' は得ようとする接続部分において外被を除去され、個々の撚り心線５''が（それぞれの絶縁体を有して）現われ、互いに並んで上部カバー２内に配列される。
【００１１】
ケーブルコネクターの個々の部材２、３、４はスナップ式留め部材又は更にねじ留め（図示省略）により一体に結合することができる。
【００１２】
図３及び図４は上部カバー２の詳細を示しており、ここにおいて丸型ケーブルが導入される開口１１、１２に並んで、丸型ケーブルの個々の撚り心線を納める案内溝１３が設けられている（丸型ケーブルは開口の内部側で外被を除去され、個々の撚り心線を各案内溝１３内に納めることができる）。
【００１３】
上部カバー２を中間部材３と正確に結合するために、雌ねじ付案内ピン１４〜１７が設けられている。
【００１４】
図５及び図６は、ケーブルコネクター１の中間部材３を示す。この中間部材３には、上部カバー２の案内ピン１４〜１７を受入れる凹状穴２０〜２３及びねじ付穴２４、２５が設けられている。上下に貫通空間を形成するスリット２６〜２９が、導線接続部材（図９参照。図５及び図６では図示省略）の導入及び固定のために設けられている。導電接続部材は平坦な薄板状に形成され、この板の平坦部分から先鋭刃が突出している。先鋭刃は導電接続部材の平坦部から直接上方に（即ち、上部カバー２に向って）突出するものと、下方に（即ち、下側部材４に向って）開口３０〜３３を通って突出するものとがある。
【００１５】
図７及び図８は、コネクター下側部４を示す。このコネクター下側部４は、複数の撚り心線を有する平型ケーブル（図７及び図８では図示省略）の導入及び案内のために設けられる。連続した、即ち途中で切断されていない平型ケーブルを受入れる中空部３４が設けられている。
【００１６】
中間部材３に上部カバー２が結合されてコネクター上側部を形成し、次いでコネクター上側部がコネクター下側部４に重ねられる。
【００１７】
図９は中間部材３内に配される導電接続部材６の実施の形態を示し、この導電接続部材６は先鋭刃６' 、６''（上部カバー２に向って突出する）及び６''' （コネクター下側部４に向って突出する）を有する。導電接続部材６の平坦部分の両先端部には尖った先端３５、３６が設けられ、これにより導電接続部材６は中間部材３におけるそれぞれのスリット２６〜２９内に爪留め式に固定される。
【００１８】
必要の場合には再び取外し可能とされた本発明によるケーブルコネクターの組立は次のように実施される。
【００１９】
撚り心線１０I 〜１０IVを有する非対称の平型ケーブル１０を非対称に形成されたコネクター下側部４内に既知の手法でセットする。
【００２０】
上部カバー２及び中間部材３を含むコネクター上側部は、撚り心線５''を有する１本ないし個々の２本の丸型ケーブル５、５' の取付ないし接続を実施するように設けられる。このような１本ないし２本の丸型ケーブル５、５' の取付及び接続を行う場合、１本の丸型ケーブル５、５' をコネクター上側部の長手方向の狭い両端面の一方又は両方を通して導入し、上部カバー２のケーブル入口部から内方へ約１０mmのところで外被を除去する。外被を除去された丸型ケーブルにおいて種々に色分けされた心線絶縁体を有する複数の撚り心線５''を好ましくは対応的に色分けされた上部カバー２内の個々の細溝１３内に納める。
【００２１】
上方及び下方に突出して絶縁体を突通す先鋭刃は６' 、６''、６''' を有する導電接続部材６を中間部材３内にセットし、この中間部材３をコネクター下側部４と上部カバー２との間に配置するべくセットする。導電接続部材６の上方に向う２つの先鋭刃６' 、６''同志の間の距離は、同じ１つの作動通路内に配された別々の２本の丸型ケーブルの撚り心線が先鋭刃は６' 、６''により架橋されて心線内部への突通しが実施可能なように選定される。導電接続部材６の平坦部の長手方向両端部には尖った先端３５、３６が設けられ、これにより導電接続部材６は中間部材３の絶縁本体に爪留め式にしっかりと固定される。
【００２２】
コネクター上側部内への１本又は２本の丸型ケーブル５、５' のセットのために、上部カバー２の長手方向側端面にはケーブルを受入れる円形の開口１１、１２の上半分が、また中間部材３の長手方向側端面にはその下半分が形成されている。上部カバー２におけるケーブル接続部分内への湿気の侵入を防止するため、上部カバー２はケーブル接続部分を取囲むシールリブ３７（図４）を有し、また中間部材３はシール溝３８（図５）を有する。上部カバー２と中間部材３とを互いにしっかりと結合するために、上部カバー２は案内ピン１４〜１７を有し、また中間部材３内には案内ピン１４〜１７が納まる凹状穴２０〜２３が設けられている。凹状穴２０〜２３の部分において中間部材３の側からねじ留めを実施し、上部カバー２の案内ピン１４〜１７を中間部材３に固定する。この時、ねじ（図示省略）を締めることによって、導電接続部材６の上方に突出する先鋭刃６' 、６''が丸型ケーブル５、５' の撚り心線の絶縁体を突通し、これにより上部カバー２内のケーブル５、５' が列車連結器のように接続され、かつ、シールリブ３７がシール溝３８内に押込まれ、固定される。こうして上部カバー２は中間部材３にしっかりとねじ留めされる。中間部材３は同様にその背面側において、平型ケーブル１０の撚り心線１０I 〜１０IVの絶縁体を突通すべく下方に向う先鋭刃６''' が突出する部分を取囲むシールリブ３９（図６）を有する。
【００２３】
中間部材３はその長手方向の一方の側端部を、中間部材３とコネクター下側部４とを蝶番式に一体化するコネクター下側部における蝶番機構に組合わされる。このように中間部材３とコネクター下側部４が蝶番式に組合わされた状態において、コネクター下側部４の反対側の側端部と中間部材３とは鳥の嘴のように互いに大きく開けられた状態となる（図１及び図２参照）。斜めに開いた中間部材３は次いで手動により傾動されてコネクター下側部４内に押込まれ、この状態で保持される。更に、例えばねじ穴１８、１９；２４、２５；４０、４１を通して長手方向に沿う側面部のねじ留め（図示省略）により締付けが行われて、ケーブルコネクター１はしっかりと組合わされる。このような締付けにより、導電接続部材６の下方に向う先鋭刃６''' が下方に押付けられて平型ケーブル１０の撚り心線１０I 〜１０IVの絶縁体を突通し、撚り心線内に達することによって平型ケーブル１０の撚り心線１０I 〜１０IVと対応する丸型ケーブル５、５' の撚り心線５''との電気的接続が形成される。これと同時に、中間部材３の背面のシールリブ３９が平型ケーブル１０を押付け、これによりコネクター下側部４におけるケーブル接続部分への湿気の侵入が防止される。
【００２４】
図１０は図２と同様のケーブルコネクターの長手方向断面図であり、本発明によるケーブルコネクターの別の実施の形態を示している。上述の第一の実施の形態におけるものと同じ部材には同じ参照符号が付されている。
【００２５】
第一の実施の形態に比べて最も相異する点は、丸型ケーブル５、５' の撚り心線が中間部材３内に案内され、保持され、これに対して上部カバー２' 、２''が丸型ケーブル５、５' の撚り心線を押付けて導電接続部材６の上方に向う先鋭刃６' 、６''による突通しを行うようにした点である。
【００２６】
上部カバーは個別の２つの部材２' 、２''で構成され、これらの部材２' 、２''は中央の旋回軸Ａ周りに旋回できるように中間部材３に取付けられている。
【００２７】
この実施の形態の変形によれば、ケーブルコネクターにおける丸型ケーブル５、５' の接続は、上部カバーの各部材２' 又は２''を旋回式に閉じるだけで丸型ケーブルの撚り心線を中間部材３内にセットできるので、生産工場におけるのみならず、このようなケーブル接続を実施すべきあらゆる場所において容易に実現することが可能である。
【図面の簡単な説明】
【００２８】
【図１】本発明の実施の形態によるケーブルコネクターに関わる部分的に組立られた状態を示す斜視図。
【図２】図１のケーブルコネクターの長手方向断面図。
【図３】図１のケーブルコネクターにおける上部カバーを示す上面斜視図。
【図４】図３の上部カバーの下面斜視図。
【図５】図１のケーブルコネクターの中間部材を示す上面斜視図。
【図６】図５の中間部材の下面斜視図。
【図７】図１のケーブルコネクターのコネクター下側部を示す上面斜視図。
【図８】図７のコネクター下側部の下面斜視図。
【図９】中間部材内に固定保持される導電接続部材の拡大斜視図。
【図１０】本発明の別の実施の形態によるケーブルコネクターに関わる長手方向断面図。
【国際公開パンフレット】
2005501391.tif 000003
2005501391.tif 000004
2005501391.tif 000005
2005501391.tif 000006
2005501391.tif 000007
2005501391.tif 000008
2005501391.tif 000009
2005501391.tif 000010
2005501391.tif 000011
2005501391.tif 000012
2005501391.tif 000013
2005501391.tif 000014
2005501391.tif 000015
2005501391.tif 000016
2005501391.tif 000017
2005501391.tif 000018
2005501391.tif 000019
2005501391.tif 000020
2005501391.tif 000021
【国際調査報告】
2005501391.tif 000022
2005501391.tif 000023
2005501391.tif 000024
2005501391.tif 000025
2005501391.tif 000026
2005501391.tif 000027